Podtech/llm-jp-corpus-v4-ja_patent huggingface dataset:
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
ヒト免疫不全ウイルス（ＨＩＶ）ウイルスエンベロープ（Ｅｎｖ）タンパク質又はそのフラグメントに結合することができるポリクローナル抗体又はそのフラグメントを含む、ＨＩＶの伝染を抑制する組成物。
【請求項２】
前記Ｅｎｖタンパク質又はそのフラグメントがｇｐ１４０である、請求項１記載の組成物。
【請求項３】
前記Ｅｎｖタンパク質又はそのフラグメントがｇｐ１４０オリゴマーである、請求項１又は請求項２記載の組成物。
【請求項４】
前記ポリクローナル抗体又はそのフラグメントが、ＨＩＶの異種クレードのＥｎｖタンパク質に結合することができる、請求項１〜３のいずれか１項記載の組成物。
【請求項５】
動物をＨＩＶウイルスエンベロープ（Ｅｎｖ）タンパク質又はそのフラグメントで免疫化すること及び免疫化された動物から高度免疫初乳を得ることを含む、ＨＩＶの伝染を抑制する組成物を調製する方法。
【請求項６】
動物をＨＩＶウイルスエンベロープ（Ｅｎｖ）タンパク質又はそのフラグメントで免疫化すること及び免疫化された動物から高度免疫初乳を得ることを含む方法により調製される、ＨＩＶの伝染を抑制する組成物。
【請求項７】
ＨＩＶの伝染を抑制する組成物を調製する方法であって、
被験者に投与されることになる高度免疫初乳又は高度免疫乳汁を、雌ウシを免疫化することによって形成することを含み、ここで雌ウシを免疫化して高度免疫初乳又は高度免疫乳汁を形成する工程が、ヒト免疫不全ウイルス（ＨＩＶ）ウイルスエンベロープ（Ｅｎｖ）タンパク質又はそのフラグメントによるワクチン接種を含む、方法。
【請求項８】
前記Ｅｎｖタンパク質又はそのフラグメントがｇｐ１４０である、請求項７記載の方法。
【請求項９】
ヒト免疫不全ウイルス（ＨＩＶ）ウイルスエンベロープ（Ｅｎｖ）タンパク質又はそのフラグメントに結合することができるポリクローナル抗体又はそのフラグメントを含み、被験者に投与されるように用いられるＨＩＶの伝染を抑制する組成物。
【請求項１０】
前記Ｅｎｖタンパク質又はそのフラグメントがｇｐ１４０である、請求項９記載の組成物。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
装置であって、 
近位位置と遠位位置との間を移動可能なハンドルと、
該ハンドルに接続され、且つ該ハンドルに部分的に含まれるシースであって、該シースの遠位端が皮膚の表面上への配置のための遠位面を画成し、且つ前記シースの近位端の全幅が前記ハンドル内に十分に含まれているシースと、
該シース内に医療用装置を支持する装置支持部であって、該装置支持部を通るアパチャーを画成し、前記ハンドルに接続された装置支持部と、
前記アパチャーを通って延びる鋭利部材を支持する鋭利部材支持部であって、前記装置支持部に接続された鋭利部材支持部と、
を備え、
前記ハンドルに加えられた力が、前記シースを前記ハンドル内に移動させ、且つ前記医療用装置を前記近位位置から前記遠位位置に移動させ、前記鋭利部材が前記皮膚の表面を通って配置されることを特徴とする装置。
【請求項２】
前記ハンドルが前記遠位位置にある間、前記装置支持部を保持する保持部材を更に備えることを特徴とする請求項１記載の装置。
【請求項３】
前記装置支持部は、該装置支持部が前記遠位位置に到達するまで前記ハンドルに接続されていることを特徴とする請求項１記載の装置。
【請求項４】
装置であって、
近位端および遠位端を有するシースであって、該シースの前記遠位端が皮膚の表面上への配置のための遠位面を画成するシースと、
該シースを部分的に囲んで配設され、且つ近位位置と遠位位置との間を移動可能なハンドルであって、前記シースの前記近位端の全幅が前記ハンドル内に十分に含まれているハンドルと、
医療用装置を支持する装置支持部であって、前記ハンドルの遠位への移動に応答して前記シースに対して前記近位位置と前記遠位位置との間を移動可能な装置支持部と、
鋭利部材を支持する鋭利部材支持部であって、前記ハンドルの遠位への移動に応答して前記シースに対して前記近位位置と前記遠位位置との間を移動可能な鋭利部材支持部と、
を備えたことを特徴とする装置。
【請求項５】
前記装置が使い捨て用に構成されることを特徴とする請求項４記載の装置。
【請求項６】
前記装置が複数回使用されるよう構成されることを特徴とする請求項４記載の装置。
【請求項７】
前記装置支持部を前記遠位位置に保持する保持部材を更に備えたことを特徴とする請求項４記載の装置。
【請求項８】
該装置支持部が前記遠位位置に達するまで、前記装置支持部が前記ハンドルに接続されていることを特徴とする請求項３記載の装置。
【請求項９】
前記医療用装置が、検体センサおよびセンサ制御ユニットを含む身体装着用筐体を備え、前記鋭利部材が前記検体センサの遠位端を支持するものであることを特徴とする請求項４記載の装置。
【請求項１０】
前記医療用装置が、検体センサおよびセンサ制御ユニットを含む身体装着用筐体を備え、前記鋭利部材が前記検体センサの遠位端を支持するものであることを特徴とする請求項１記載の装置。
【請求項１１】
挿入器であって、
筐体と、
該筐体に接続可能である取り外し可能なキャップと、
前記筐体に接続され、且つ該筐体内に部分的に含まれるシースであって、該シースの遠位端が皮膚の表面上に配置するための遠位面を画成し、且つ該シースの近位端の全幅が前記筐体内に十分に含まれているシースと、
前記筐体内に身体装着用筐体を解除可能に支持するよう作動する身体装着用筐体支持要素であって、前記身体装着用筐体が検体センサと検体センサ制御ユニットとを含んでいる身体装着用筐体支持要素と、
前記筐体に接続され、且つ該筐体内に配設されたプランジャであって、前記筐体が前記シースに対して遠位面に向う移動するのに応答して、前記身体装着用筐体および鋭利部材を前記挿入器の長手方向に沿って近位位置から遠位位置に移動させるよう作動するプランジャと、
前記筐体内の鋭利部材後退要素であって、前記プランジャが前記遠位位置に達したときに前記身体装着用筐体から前記鋭利部材を取り外すように作動する鋭利部材後退要素と、
を備えたことを特徴とする挿入器。
【請求項１２】
前記筐体が前記遠位面に向けて移動するにつれ、前記シースが前記筐体内で後退することを特徴とする請求項１１記載の挿入器。
【請求項１３】
前記筐体が前記遠位面に向けて移動するのに応答して前記鋭利部材が前記皮膚の表面を突き通すことを特徴とする請求項１１記載の挿入器。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
植込式医療装置を形成する方法において、
高分子材料を前記植込式医療装置の形状へ成形する工程と、
前記高分子材料に治療剤を積載させるべく溶媒を当該高分子材料へ塗布する工程と、
前記高分子材料の硬度を変えるために、前記の溶媒を高分子材料へ塗布する工程の後に、当該高分子材料に後硬化プロセスを施す工程と、を備え、前記の高分子材料に後硬化プロセスを施す工程は、前記高分子材料を加硫処理する工程および前記高分子材料を炉内で熱に暴露する工程のうちの少なくとも一方を含む、方法。
【請求項２】
請求項１に記載の方法において、さらに、前記高分子材料内に、孔、先端造形、及びマークのうちの少なくとも１つを形成する工程を含む、方法。
【請求項３】
請求項１または２に記載の方法において、さらに、
第１硬度を有する第１高分子材料を選択する工程と、
前記第１硬度とは異なる第２硬度を有する第２高分子材料を選択する工程と、
前記第１高分子材料を前記第２高分子材料と混成して、混成高分子材料を獲得する工程と、を備えている方法。
【請求項４】
請求項１〜３のいずれか１項に記載の方法において、
前記の後硬化プロセスを施す工程は、前記高分子材料を加硫処理する工程を含む、方法。
【請求項５】
請求項１〜４のいずれか１項に記載の方法において、
前記の後硬化プロセスを施す工程は、前記高分子材料を炉内で高温に暴露する工程を含む、方法。
【請求項６】
請求項１〜５のいずれかに記載の方法を用いて形成された医療装置。
【手続補正２】
【補正対象書類名】明細書
【補正対象項目名】０００５
【補正方法】変更
【補正の内容】
【０００５】
高分子材料の積載容量を調節することができれば、薬物の積載されたポリマー系のブー
ツ、シース、ディスク、カテーテル、及び同種物の設計における自由度が増すことになる
。特に、高分子材料中へ積載される薬物の量は、容易に制御できるようになる。これら及
び他の利点は、以下の詳細な説明が添付図面と関連付けて読まれれば容易に理解されるで
あろう。なお、本発明は、以下の態様に関し得る。
（態様１）植込式医療装置について既定薬物積載容量を選択する工程と、第１硬度を有する第１高分子材料を選択する工程と、前記第１硬度とは異なる第２硬度を有する第２高分子材料を選択する工程と、前記第１高分子材料を前記第２高分子材料と混成して、前記選択された既定薬物積載容量を有する混成高分子材料を獲得する工程と、を備えている方法。
（態様２）態様１に記載の方法において、前記混成高分子材料を前記植込式医療装置の形状へ成形する工程を更に備えている、方法。
（態様３）態様１に記載の方法において、前記混成高分子材料に後硬化プロセスを施す工程を更に備えている、方法。
（態様４）態様１に記載の方法において、前記植込式医療装置の特徴を前記混成高分子材料中へ製作する工程を更に備えている、方法。
（態様５）態様１に記載の方法において、前記混成高分子材料に治療剤を積載させるべく溶媒を当該混成高分子材料へ塗布する工程を更に備えている、方法。
（態様６）態様１に記載の方法において、前記混成高分子材料を前記植込式医療装置の形状へ成形する工程と、前記混成高分子材料に後硬化プロセスを施す工程と、前記植込式医療装置の特徴を前記混成高分子材料中へ製作する工程と、前記混成高分子材料に治療剤を積載させるべく溶媒を当該混成高分子材料へ塗布する工程と、を更に備えている、方法。
（態様７）態様６に記載の方法において、前記の混成材料に後硬化プロセスを施す工程は、前記の溶媒を混成高分子材料へ塗布する工程に先立って行われる、方法。
（態様８）態様６に記載の方法において、前記の混成高分子材料に後硬化プロセスを施す工程は、前記の溶媒を混成高分子材料へ塗布する工程の後に行われる、方法。
（態様９）植込式医療装置を形成する方法において、高分子材料を前記植込式医療装置の形状へ成形する工程と、前記高分子材料に治療剤を積載させるべく溶媒を当該高分子材料へ塗布する工程と、前記の溶媒を高分子材料へ塗布する工程の後に、当該高分子材料に後硬化プロセスを施す工程と、を備えている、方法。
（態様１０）態様９に記載の方法において、前記植込式医療装置の特徴を前記高分子材料中へ製作する工程を更に備えている、方法。
（態様１１）態様９に記載の方法において、前記植込式医療装置について既定薬物積載容量を選択する工程と、第１硬度を有する第１高分子材料を選択する工程と、前記第１硬度とは異なる第２硬度を有する第２高分子材料を選択する工程と、前記第１高分子材料を前記第２高分子材料と混成して、前記選択された既定薬物積載容量を有する混成高分子材料を獲得する工程と、を更に備えている、方法。
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
高密度焦点式超音波（ＨＩＦＵ）を用いて組織体積を治療するためのシステムであって、
組織体積内の治療部位にＨＩＦＵ治療信号を送達するように構成された移動可能な変換器焦点域を有するハンドヘルドまたはハンドガイドＨＩＦＵアプリケータと、
組織体積を表す撮像信号を生成する撮像変換器と、
組織体積の周縁の周囲にＨＩＦＵ治療信号を印加するため、およびＨＩＦＵ変換器の前記焦点域の位置を制御するためのパターンを決定して、前記パターンでＨＩＦＵエネルギーを印加するようにプログラムされたプロセッサと
を含み、
ＨＩＦＵエネルギーが印加される前記パターンは、組織体積の周縁の周囲に創出されたいくつかの基本的な治療体積からなり、
各基本的な治療体積は、ＨＩＦＵエネルギーを基本的な治療体積の周囲に印加することで創出され、
治療される組織体積の内部は、基本的な治療体積の周囲の外側に位置する
ことを特徴とするシステム。
【請求項２】
請求項１に記載のシステムであって、各基本的な治療体積は、治療エネルギーが、該基本的な治療体積の周縁に繰り返し印加されるときに、基本的な治療体積の内部領域が、間接加熱によって処理されるように選択されたサイズを有することを特徴とするシステム。
【請求項３】
請求項１に記載のシステムであって、前記プロセッサは、組織体積の内部にいくつかの基本的な治療体積を創出するようなパターンに、ＨＩＦＵ変換器の焦点域の位置を制御するようにプログラムされることを特徴とするシステム。
【請求項４】
請求項１に記載のシステムであって、前記ＨＩＦＵ治療信号は、療法的ＨＩＦＵ信号の基本周波数での出力のかなりの部分を前記治療部位での基本周波数の高調波での出力に変換するのに十分な出力で送信されることを特徴とするシステム。
【請求項５】
請求項４に記載のシステムであって、前記プロセッサは、異なる出力レベルで送信されたいくつかの試験信号に基づいて、前記ＨＩＦＵ治療信号の基本周波数での出力のかなりの部分が前記治療部位での基本周波数の高調波での出力に変換されるように、前記ＨＩＦＵ治療信号に関する出力レベルを決定するようにプログラムされることを特徴とするシステム。
【請求項６】
請求項１に記載のシステムであって、前記基本的な治療体積は、円筒形であり、前記焦点域の長さに略等しい直径を有することを特徴とするシステム。
【請求項７】
請求項１に記載のシステムであって、前記プロセッサは、前記焦点域を移動させるために、前記ＨＩＦＵ変換器の位置を調節する、機械的連結を制御するようにプログラムされることを特徴とするシステム。
【請求項８】
請求項１に記載のシステムであって、前記プロセッサは、前記焦点域を移動させるために、電子ビーム操縦器を制御するようにプログラムされることを特徴とするシステム。
【請求項９】
請求項１に記載のシステムであって、前記プロセッサは、治療すべき組織体積の境界を自動的に検出するようにプログラムされることを特徴とするシステム。
【請求項１０】
請求項１に記載のシステムであって、前記プロセッサは、治療すべき組織体積の境界を示唆するユーザからの入力を受信するようにプログラムされることを特徴とするシステム。
【請求項１１】
高密度焦点式超音波（ＨＩＦＵ）を用いて組織体積を熱的に壊死させるためのシステムであって、
基本周波数を有する療法的ＨＩＦＵ治療信号を組織体積内の治療部位に送達するように構成された移動可能な変換器焦点域を有するハンドヘルドまたはハンドガイドＨＩＦＵアプリケータと、
前記療法的ＨＩＦＵ治療信号の基本周波数での出力のかなりの部分を前記治療部位での基本周波数の高調波での出力に変換するのに十分な出力で療法的ＨＩＦＵ治療信号を生成するように、ＨＩＦＵ変換器に駆動信号を供給するように構成された送信制御装置と、
温度フィードバックを用いずに、１つ以上の基本的な治療体積を創出するために、組織体積内に前記ＨＩＦＵ変換器の焦点域を位置決めするように構成された位置制御装置と
を備え、
ＨＩＦＵ変換器の焦点域の位置決めは基本的な治療体積を創出し、これはＨＩＦＵエネルギーを基本的な治療体積の周囲に印加することによりなされ、
基本的な治療体積は治療部位の周縁の周囲に創出され、治療部位の内部は基本的な治療体積の外側に位置する
ことを特徴とするシステム。
【請求項１２】
請求項１１に記載のシステムであって、各基本的な治療体積は、前記焦点域の長さに実質的に等しい直径を有する円筒形であることを特徴とするシステム。
【請求項１３】
請求項１１に記載のシステムであって、前記療法的ＨＩＦＵ治療信号の前記出力は、前記療法的ＨＩＦＵ治療信号が前記治療部位で衝撃の開始に達する、または超えるように選択されることを特徴とするシステム。
【請求項１４】
高密度焦点式超音波（ＨＩＦＵ）を用いて治療部位で組織を熱的に壊死させるためのシステムであって、
基本周波数を有する療法的ＨＩＦＵ治療信号を前記治療部位での組織に送達するように構成された移動可能な変換器焦点域を有するＨＩＦＵ変換器と、
前記変換器が、前記療法的ＨＩＦＵ治療信号の基本周波数での出力のかなりの部分を前記治療部位での基本周波数の高調波での出力に変換するのに十分な出力で療法的ＨＩＦＵ治療信号を生成するように、前記ＨＩＦＵ変換器に駆動信号を供給するように構成された送信制御装置と、
気泡の存在時に、基本的な治療体積を創出するために、前記組織内に前記ＨＩＦＵ変換器の焦点域を位置決めするように構成された位置制御装置と
を備え、
ＨＩＦＵ変換器の焦点域の位置決めは基本的な治療体積を創出し、これはＨＩＦＵエネルギーを基本的な治療体積の周囲に印加することによりなされ、
基本的な治療体積は治療部位の周縁の周囲に創出され、治療部位の内部は基本的な治療体積の外側に位置する
ことを特徴とするシステム。
【請求項１５】
組織体積を治療するためのシステムであって、
組織体積内の治療部位にＨＩＦＵ治療信号を送達するように構成された移動可能な変換器焦点域を有するハンドヘルドまたはハンドガイドＨＩＦＵアプリケータと、
前記治療部位を表す撮像信号を生成する撮像変換器と、
組織体積にＨＩＦＵを印加するパターンを決定するようにプログラムされたプロセッサと、
直径５ｃｍまでの組織体積を１０分以内に効果的に治療し、治療部位の組織を壊死させることができるように、前記決定されたパターンでＨＩＦＵエネルギーを印加するために、ＨＩＦＵ変換器の前記焦点域の位置を選択的に制御する位置制御装置と
を備え、
位置制御装置はＨＩＦＵ変換器の前記焦点域を組織体積内に位置決めして治療部位の周縁の周囲に基本的な治療体積を創出し、治療部位の内部は基本的な治療体積の外側に位置し、
ＨＩＦＵ変換器の前記焦点域の位置決めは基本的な治療体積を創出し、これは基本的な治療体積の周囲にＨＩＦＵエネルギーを印加することによりなされる
ことを特徴とするシステム。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
近位端および遠位端がある閉塞を有する血管を治療するために、エネルギー供給源および流体供給源とともに使用するシステムであって、
前記エネルギー供給源と結合するようにしてある少なくとも１つの結合器と、
近位端および遠位端がある第１の長手方向部材であって、前記第１の長手方向部材の前記遠位端が第１の伝導性電極を含んでおり、前記第１の長手方向部材の前記近位端が前記結合器に結合されるように構成されており、前記第１の長手方向部材が、前記第１の伝導性電極が前記閉塞の近位端にくるように前進できるよう構成されている、第１の長手方向部材と、
近位端および遠位端がある第２の長手方向部材であって、前記第２の長手方向部材の前記遠位端が第２の伝導性電極を含んでおり、前記第２の長手方向部材の前記近位端が前記結合器に結合されるように構成されており、前記第２の長手方向部材が、前記第２の伝導性電極が前記閉塞の遠位端にくるように前進できるよう構成されている、第２の長手方向部材と、を備え、
前記第１の長手方向部材および前記第２の長手方向部材の少なくとも一方が、その部材の近位端にある注入部分から、その部材の遠位端にある開口部まで伸びる流体送達管腔を含んでおり、前記注入部分が、少なくとも１つの流体を前記閉塞まで送るために、前記流体供給源と連結するようにしてあり、
前記エネルギー供給源が、前記少なくとも１つの連結器を介して、前記第１および第２の伝導性電極の少なくとも一方までエネルギーを供給して、前記閉塞を治療するために、前記第１および第２の伝導性電極の間にエネルギーを与えることを特徴とするシステム。
【請求項２】
前記第１および第２の伝導性電極の少なくとも１つが複数のリブ部を含み、前記複数のリブ部が、このような電極が前記閉塞と接触したときに、外に向けて広がって、このような電極の表面積を大きくすることを特徴とする請求項１に記載のシステム。
【請求項３】
前記第１の長手方向部材および前記第２の長手方向部材の少なくとも一方が、それぞれ前記第１の伝導性電極または第２の伝導性電極によって発生した熱の向きをそらすように構成された少なくとも１つのインシュレータをさらに備えていることを特徴とする請求項１に記載のシステム。
【請求項４】
前記インシュレータが、前記第１の長手方向部材および前記第２の長手方向部材の少なくとも一方の前記遠位端から突出していて、前記インシュレータがそれぞれ前記第１の伝導性電極または第２の伝導性電極を越えて伸びるようにしていることを特徴とする請求項３に記載のシステム。
【請求項５】
前記第１の長手方向部材および前記第２の長手方向部材の少なくとも一方は、超音波を送信または受信するように構成された圧電性結晶を含む撮像用要素をさらに備えていることを特徴とする請求項１に記載のシステム。
【請求項６】
前記第１の長手方向部材および前記第２の長手方向部材の少なくとも一方は、光ファイバーを含む撮像用要素をさらに備えていることを特徴とする請求項１に記載のシステム。
【請求項７】
前記少なくとも１つの結合器は、ロッキングツールおよびトルクデバイスの一方として構成されており、前記ロッキングツールまたはトルクデバイスは、前記第１の長手方向部材および前記第２の長手方向部材の少なくとも一方の前記近位端に被せてあることを特徴とする請求項１に記載のシステム。
【請求項８】
前記第１の長手方向部材および前記第２の長手方向部材の少なくとも一方は、前進して前記閉塞を通り、かつ、前記第１および第２の伝導性電極を前記血管の壁の方を向けず、互いの方を向くよう方向を合わせするのに十分なねじり剛性と長手方向の柔軟性を有することを特徴とする請求項１に記載のシステム。
【請求項９】
前記第１の長手方向部材および前記第２の長手方向部材の少なくとも一方は、破片を捕獲し、回収するための塞栓防止機構を含むことを特徴とする請求項１に記載のシステム。
【請求項１０】
請求項１および７〜９のいずれか一項に記載のシステムをエネルギー供給源と組み合わせた、近位端および遠位端がある閉塞を有する血管を治療するシステムであって、前記エネルギー供給源が、高周波エネルギー、レーザーエネルギー供給源、マイクロ波エネルギー供給源、および、超音波エネルギー供給源からなる一群から選択されることを特徴とするシステム。
【請求項１１】
請求項１および７〜９のいずれか一項に記載のシステムを流体供給源と組み合わせた、近位端および遠位端がある閉塞を有する血管を治療するシステムであって、前記流体供給源が、薬物流体供給源、伝導性流体供給源、および、圧縮ガス供給源からなる一群から選択されることを特徴とするシステム。
【請求項１２】
請求項１および７〜９のいずれか一項に記載のシステムをエネルギー供給源と組み合わせた、近位端および遠位端がある閉塞を有する血管を治療するシステムであって、前記エネルギー供給源が高周波発生器であり、前記少なくとも１つの結合器が、前記高周波発生器と電気的に結合されており、前記第１の長手方向部材の近位端および前記第２の長手方向部材の近位端が前記結合器と電気的に結合されており、前記高周波発生器が、閉塞を治療するために前記第１および第２の伝導性電極とともにバイポーラ配置を形成するように構成されることを特徴とするシステム。
【請求項１３】
高周波エネルギーを制御し、発生させるために前記高周波発生器内に回路をさらに備えることを特徴とする請求項１２に記載のシステム。
【手続補正書】
【提出日】平成26年3月31日(2014.3.31)
【手続補正１】
【補正対象書類名】明細書
【補正対象項目名】００４６
【補正方法】変更
【補正の内容】
【００４６】
カートリッジ保持キャビティ１１１を規定するカートリッジホルダ１０４の部分は、実質的に図１にＤ1１３４で示される均一直径からなる。この直径Ｄ1は、好ましくは、カートリッジ１２０の直径Ｄ2よりも僅かに大きい。カートリッジホルダ１０４の内部は、カ
ートリッジホルダ１０４内のカートリッジ１２０の動きを阻止するために寸法取りされた内側に伸びる環状部分又は止め具を含んでもよい。このように、カートリッジ１２０がカートリッジホルダ１０４のキャビティ１１１に装填され、そしてカートリッジホルダ１０４が次に投与量設定機構又は機構１０２に連結されるとき、カートリッジ１２０はカートリッジキャビティ１１１内にしっかりと保持される。より具体的には、カートリッジ１２０のネック１２６及びフェルール１２４がカートリッジホルダ１０４の開いた近位から遠位方向に挿入され、最終的にフェルール１２４は完全にホルダ１０４に入る。投与量設定機構１０２と取り外し可能に連結したホルダ１０４の場合、カートリッジ１２０の近位端は、一般に投与量設定機構１０２によって提供される留め具に衝合することになる。
【手続補正書】
【提出日】平成26年3月31日(2014.3.31)
【手続補正１】
【補正対象書類名】明細書
【補正対象項目名】００６０
【補正方法】変更
【補正の内容】
【００６０】
カートリッジキャビティ１１１を規定するカートリッジホルダ１０４の部分は、実質的に図１に直径Ｄ1１３４で示される均一直径からなる。この直径Ｄ1１３４は、好ましくは、カートリッジ１２０の直径Ｄ2’１３７よりも僅かに大きい。カートリッジホルダ１０４の内部は、カートリッジホルダ１０４内のカートリッジ１２０の動きを阻止するために寸法取りされた内側に伸びる環状部分又は止め具を含む。このように、カートリッジ１２０がカートリッジホルダ１０４のカートリッジキャビティ１１１に装填され、そしてカートリッジホルダ１０４が次に投与量設定部材１０２に連結されるとき、カートリッジ１２０はカートリッジキャビティ１１１内にしっかりと保持される。より具体的には、カートリッジ１２０のネック１２６及び金属スリーブ又はフェルール１２４がカートリッジホルダ１０４の開いている近位端に遠位方向に挿入され、最終的に金属スリーブ又はフェルール１２４は完全にカートリッジホルダ１０４に入る。投与量設定部材１０２と取り外し可能に連結したカートリッジホルダ１０４では、カートリッジ１２０の近位端１３２は、典型的に投与量設定部材１０２によって提供される留め具に隣接することになる。
【手続補正２】
【補正対象書類名】特許請求の範囲
【補正対象項目名】全文
【補正方法】変更
【補正の内容】
【特許請求の範囲】
【請求項１】
薬物送達システムのためのカートリッジシステムであって、以下：
外径（２１０）及び中心に位置する開口部（２０４）を有する円筒形状本体（２０２）；
本体（２０２）の近位端（２０６）から遠位端（２０８）に伸びる開口部（２０４）；
遠位端（１３０）から近位端（１３２）に伸びる略チューブ状のバレル（１２２）を含むカートリッジ（１２０）であって、遠位端（１３０）は、内側に細まるショルダ（１３１）、遠位端（１３０）に位置するスリーブ又はフェルール（１２４）、バレル（１２２）のショルダ（１３１）から遠位に突き出る小さな直径のネック（１２６）、及びネック（１２６）によって画成される開いた遠位端をわたってしっかり取り付けられ、スリーブ
又はフェルール（１２４）によって所定の位置に保持される穿孔可能なシール又はセプタム（１２７）によって画成される；及び
上記本体（２０２）上に備えられた少なくとも１つの曲げ可能機能（２３０、９３０）；
を含んでなり：
曲げ可能機能（２３０、９３０）は第１のセクション（２３２、９３２）、第２のセクション（２３４、９３４）、及び第３のセクション（２３６、９３６）を含み、第１のセクション（２３２、９３２）及び第３のセクション（２３６、９３６）はそれぞれ本体（２０２）に取り付けられており、
該曲げ可能機能（２３０、９３０）は、その曲げ可能機能（２３０、９３０）の第２のセクション（２３４、９３４）の少なくとも一部が、本体（２０２）の外径（２１０）を越えて伸びている第１の位置（８１０）から第２の位置（８２０）に可動であり、その部分は曲げ可能機能（２３０、９３０）が第２の位置（８２０）にはめ込むまで開口部（２０４）に向かって動き、そして
該第２の位置（８２０）では、曲げ可能機能（２３０、９３０）の少なくとも一部が、開口部（２０４）がスリーブ又はフェルール（１２４）の上に置かれたときに、該カートリッジ（１２０、５００、７５０）を該本体（２０２）内に保持するために提供される、
ことを特徴とする、
上記カートリッジシステム。
【請求項２】
前記本体（２０２）が、該本体（２０２）の周囲の少なくとも一部に沿って伸びるフランジ（２１４）又はフランジ環（７１０）を含む、請求項１に記載のカートリッジシステム。
【請求項３】
さらにねじ式のニードルハブを受けるように構成されたねじ山（１２１）を含む、請求項１又は２に記載のカートリッジシステム。
【請求項４】
さらに本体（２０２）の戻り止め機能（８４０）、第１の位置（８１０）から戻り止め機能（８４０）を過ぎて第２の位置（８２０）に動きそして戻り止め機能（８４０）によって第２の位置（８２０）に保持される曲げ可能機能（２３０、９３０）を含む、請求項１〜３のいずれか１項に記載のカートリッジシステム。
【請求項５】
投与量設定部材（１２０）を含んでなる薬物送達デバイス（１００）；
該投与量設定部材（１２０）に固定されるカートリッジホルダ（１０４、７４０）；及び
該カートリッジホルダ（１０４、７４０）内に含まれる、請求項１〜４のいずれか１項に記載のカートリッジシステム；
を含んでなる、薬物送達システム。
【請求項６】
本体（２０２）が軸方向に伸びる壁（２１２）を含み、そして本体（２０２）の軸方向に伸びる壁（２１２）の外面（２１８）には外側ねじ山（２２０）が備わっている、請求項５に記載の薬物送達システム。
【請求項７】
前記カートリッジホルダ（１０４、７４０）が前記投与量設定部材（１２０）に取り外し可能に固定される、請求項５又は６に記載の薬物送達システム。
【請求項８】
前記カートリッジ（１２０、５００、７５０）が前記カートリッジホルダ（１０４、７４０）内に取り外し可能に含まれる、請求項５〜７のいずれか１項に記載の薬物送達システム。
【請求項９】
前記薬物送達デバイス（１００）が再使用可能な薬物送達デバイス（１００）を含む、請求項５〜８のいずれか１項に記載の薬物送達システム。
【請求項１０】
前記投与量設定部材（１２０）が、設定投与量を前記カートリッジ（５００、７５０）から排出するための回転ピストンロッド（１０９）を含む、請求項５〜９のいずれか１項に記載の薬物送達システム。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
組織を切断するための注射針先端を遠端部に有する中空の細長い注射針シャフトを備え、
前記注射針先端は、少なくとも１つの平面でフレア加工され、後部リップに実質的に平行であって前記注射針シャフトの外径より大きな長軸と前記長軸より小さな短軸とを有する非対称な先端口を作り出すように形成される平状の後部リップと前部リップとを有することを特徴とする病変組織または不要組織の除去のための手術器具用の注射針。
【請求項２】
前記前部リップは、実質的にＤ字形の先端口を作り出すように曲げられることを特徴とする請求項１に記載の手術器具用の注射針。
【請求項３】
前記平状の後部リップは、前記注射針シャフトの中心長手方向軸（注射針軸）に実質的に平行な平面にある後部表面のエッジ上にあることを特徴とする請求項２に記載の手術器具用の注射針。
【請求項４】
前記注射針先端は、前記注射針シャフトの前記中心長手方向軸（注射針軸）に実質的に平行な中心長手方向軸（先端軸）を有することを特徴とする請求項１〜３のいずれか一項に記載の手術器具用の注射針。
【請求項５】
前記後部リップは、前記先端口の前記短軸に対して実質的に横向きになっており、前記先端口の前記長軸に実質的に平行な前記後部表面のエッジ上にあることを特徴とする請求項３に記載の手術器具用の注射針。
【請求項６】
前記先端口の前記リップの少なくとも一部分は、前記先端軸に対して斜めに切断または面取りされることを特徴とする請求項４に記載の手術器具用の注射針。
【請求項７】
前記注射針先端は、同じ方向に角度付けされていない非対称な多面口を与えられ、前記注射針軸からオフセットされていることを特徴とする請求項３〜６のいずれか一項に記載の手術器具用の注射針。
【請求項８】
前記後部リップは、多数の内向き湾曲または円鋸歯状突起をもって形成されることを特徴とする請求項１に記載の手術器具用の注射針。
【請求項９】
前記リップのエッジの内向き湾曲は、前記先端口の全外周には形成されず、前記先端口の周りで１つ以上の平面に非対称に配置されることを特徴とする請求項８に記載の手術器具用の注射針。
【請求項１０】
前記前部リップは、“腎臓形の”先端口を形成するように内向きに曲げられる、請求項１〜９のいずれか一項に記載の手術器具用の注射針。
【請求項１１】
前記後部リップは鋭角を形成するように前記先端軸に対してある角度に曲げられることを特徴とする請求項１〜１０のいずれかに記載の手術器具用の注射針。
【請求項１２】
前記前部リップは、複数の鋸歯状部をもって形成されることを特徴とする請求項１〜１１のいずれか一項に記載の手術器具用の注射針。
【請求項１３】
前記鋸歯状部は、前記口の全外周で対称でないことを特徴とする請求項１２に記載の手術器具用の注射針。
【請求項１４】
組織を切断するための注射針先端を遠端部に有する中空の細長い注射針シャフトを備え、
前記注射針先端は、少なくとも１つの平面でフレア加工され、注射針シャフトの外径より大きな長軸と前記長軸より小さな短軸とを有する実質的にＤ字形の先端口を作り出すように形成される平状の後部リップと湾曲した前部リップとを有することを特徴とする病変組織または不要組織の除去のための手術器具用の注射針。
【請求項１５】
前記平状の後部リップは、前記注射針シャフトの中心長手方向軸に実質的に平行な平面にある後部表面のエッジ上にあることを特徴とする請求項１４に記載の手術器具用の注射針。
【請求項１６】
組織を切断するための注射針先端を遠端部に有する中空の細長い注射針シャフトを備え、
前記注射針先端は、前記注射針先端の先端口の外周の長さ当たりのリップ表面積を拡大するためにリップエッジに波形表面を形成するように先端壁に形成された少なくとも１つの内向き湾曲を有するリップであって、前記リップの内向き湾曲は前記先端口の全外周に形成されず前記先端口の周りで１つ以上の平面内に非対称に配置されるリップを有する口を有することを特徴とする病変組織または不要組織の除去のための手術器具用の注射針。
【請求項１７】
前記注射針先端は、少なくとも１つの平面でフレア加工され、後部リップと前部リップとを有し、前記後部リップは前記先端の中心長手方向軸（先端軸）から離れるように外向きに曲げられることを特徴とする請求項１６に記載の手術器具用の注射針。
【請求項１８】
前記注射針先端は、少なくとも１つの平面でフレア加工され、後部リップと前部リップとを有し、前記後部リップは前記注射針シャフトの中心長手方向軸（注射針軸）に向かって内向きに曲げられることを特徴とする請求項１６に記載の手術器具用の注射針。
【請求項１９】
前記後部リップは、多数の内向き湾曲または円鋸歯状突起をもって形成されることを特徴とする請求項１８に記載の手術器具用の注射針。
【請求項２０】
前記前部リップは、“腎臓形の”先端口を形成するように内向きに曲げられることを特徴とする請求項１７〜１９のいずれか一項に記載の手術器具用の注射針。
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
移植片を伴う注射用カニューレであって、該移植片が、少なくとも１つの生理学的に許容可能な材料により該注射用カニューレ内に少なくとも１つの長軸側面の少なくとも一部にわたって脱着可能に固定されることを特徴とする、移植片を伴う注射用カニューレ。
【請求項２】
少なくとも１つの生理学的に許容可能な材料が、１つ若しくは複数の半固体材料及び／又は１つ若しくは複数の硬化材料から選択されることを特徴とする、請求項１に記載の移植片を伴う注射用カニューレ。
【請求項３】
少なくとも１つの生理学的に許容可能な材料がポリマー材料を含むことを特徴とする、請求項１又は２に記載の移植片を伴う注射用カニューレ。
【請求項４】
移植片が、該注射用カニューレ内に少なくとも１つの長軸側面の表面領域の最大５０％にわたって脱着可能に固定されることを特徴とする、請求項１〜３のいずれか一項に記載の移植片を伴う注射用カニューレ。
【請求項５】
移植片が、該注射用カニューレ内に少なくとも１つの長軸側面の表面上の少なくとも１つの点にわたって脱着可能に固定されることを特徴とする、請求項１〜４のいずれか一項に記載の移植片を伴う注射用カニューレ。
【請求項６】
少なくとも１つの生理学的に許容可能な材料が、０．１ｍｍ〜１．２ｍｍの層厚を有することを特徴とする、請求項１〜５のいずれか一項に記載の移植片を伴う注射用カニューレ。
【請求項７】
側方開口部を有することを特徴とする、請求項１〜６のいずれか一項に記載の移植片を伴う注射用カニューレ。
【請求項８】
移植片が、該注射用カニューレの該側方開口部の領域に配置されることを特徴とする、請求項７に記載の移植片を伴う注射用カニューレ。
【請求項９】
移植片が、ゴセレリン、リュープロレリン、アナストロゾール（anastrozole）、リスペリドン及びオクトレオチドからなる群から選択される有効成分を含むことを特徴とする、請求項１〜８のいずれか一項に記載の移植片を伴う注射用カニューレ。
【請求項１０】
移植片が、乳酸及び／又はグリコール酸のポリマー及びコポリマー、又はポリラクチド及びポリ−ラクチド−コ−グリコリドからなる群から選択されるプラスチック材料を含むことを特徴とする、請求項１〜９のいずれか一項に記載の移植片を伴う注射用カニューレ。
【請求項１１】
移植片が、該生理学的に許容可能な材料と同一の材料を何ら含まないことを特徴とする、請求項１〜１０のいずれか一項に記載の移植片を伴う注射用カニューレ。
【請求項１２】
注射用カニューレ内に移植片を脱着可能に固定する方法であって、移植片を該カニューレ内に導入する前に、流動性の生理学的に許容可能な材料を該カニューレ内に導入して、任意に該カニューレ内に分配することを特徴とする、注射用カニューレ内に移植片を脱着可能に固定する方法。
【請求項１３】
流動性の生理学的に許容可能な材料が、半固体材料又は硬化性ポリマー材料から選択されることを特徴とする、請求項１２に記載の方法。
【請求項１４】
移植片を該カニューレ内に導入する前に、硬化性ポリマー材料を該カニューレ内に導入して硬化させることを特徴とする、請求項１３に記載の方法。
【請求項１５】
移植片を該カニューレ内に導入する前に、該カニューレ内に導入した該流動性の生理学的に許容可能な材料の一部を、該カニューレから再び除去することを特徴とする、請求項１２〜１４のいずれか一項に記載の方法。
【請求項１６】
移植片を該カニューレ内に導入する前に、該硬化ポリマー材料の一部を該カニューレから再び除去することを特徴とする、請求項１４に記載の方法。
【請求項１７】
注射用カニューレが側方開口部を有することを特徴とする、請求項１２〜１６のいずれか一項に記載の方法。
【請求項１８】
移植片を、該注射用カニューレの該側方開口部の領域に脱着可能に固定することを特徴とする、請求項１７に記載の方法。
【請求項１９】
流動性の生理学的に許容可能な材料を、該注射用カニューレの該側方開口部を介して該注射用カニューレ内に導入することを特徴とする、請求項１８に記載の方法。
【請求項２０】
移植片が、ゴセレリン、リュープロレリン、アナストロゾール、リスペリドン及びオクトレオチドからなる群から選択される有効成分を含むことを特徴とする、請求項１２〜１９のいずれか一項に記載の方法。
【請求項２１】
移植片が、乳酸及び／又はグリコール酸のポリマー及びコポリマー、又はポリラクチド及びポリ−ラクチド−コ−グリコリドからなる群から選択されるプラスチック材料を含むことを特徴とする、請求項１２〜２０のいずれか一項に記載の方法。
【請求項２２】
移植片が、請求項１２〜２１のいずれか一項に記載の方法に従って、該注射用カニューレ内に脱着可能に固定されることを特徴とする、請求項１〜１１のいずれか一項に記載の移植片を伴う注射用カニューレ。
【請求項２３】
側方開口部を有するカニューレ内に、該開口部の反対側に位置する該カニューレの内壁上の該開口部の領域における流動性の生理学的に許容可能な材料により、脱着可能に固定される移植片を含む、請求項２２に記載の移植片を伴う注射用カニューレ。
【誤訳訂正書】
【提出日】平成26年2月17日(2014.2.17)
【誤訳訂正１】
【訂正対象書類名】特許請求の範囲
【訂正対象項目名】全文
【訂正方法】変更
【訂正の内容】
【特許請求の範囲】
【請求項１】
埋め込み型医療装置と共に使用するための外部装置であって、
ハウジングと、
前記ハウジング内のコイルと、
前記ハウジング内の再充電可能バッテリと、
高透磁性材料を含む前記ハウジング内の磁気シールドと、
を含み、
前記コイル、前記磁気シールド、及び前記バッテリは、積み重ね状態で整列し、
前記磁気シールドは、前記積み重ね状態で前記バッテリと前記コイルの間に位置付けられ、
前記コイルは、埋め込み型医療装置に電力を供給するのに使用される、
ことを特徴とする装置。
【請求項２】
前記磁気シールドは、フェライトプレートを含むことを特徴とする請求項１に記載の装置。
【請求項３】
前記再充電可能バッテリは、再充電可能プリズム形リチウムイオンバッテリを含むことを特徴とする請求項１に記載の装置。
【請求項４】
前記外部装置の前記ハウジング内にプリント基板（ＰＣＢ）を更に含むことを特徴とする請求項１に記載の装置。
【請求項５】
前記磁気シールドは、接着によって前記ＰＣＢに取り付けられることを特徴とする請求項４に記載の装置。
【請求項６】
前記磁気シールド及びコイルは、前記ＰＣＢの第１の側面上に位置付けられ、前記バッテリは、該ＰＣＢの第２の側面上に位置付けられることを特徴とする請求項４に記載の装置。
【請求項７】
前記磁気シールド及びバッテリは、前記ＰＣＢの第１の側面上に位置付けられ、前記コイルは、該ＰＣＢの第２の側面上に位置付けられることを特徴とする請求項４に記載の装置。
【請求項８】
前記磁気シールドは、前記コイルの範囲全体を覆うことを特徴とする請求項１に記載の装置。
【請求項９】
前記コイル、バッテリ、及び磁気シールドは、前記積み重ね状態で同軸的に整列することを特徴とする請求項１に記載の装置。
【請求項１０】
埋め込み型医療装置と共に使用するための外部装置であって、
ハウジングと、
前記ハウジング内のコイルと、
前記ハウジング内の再充電可能バッテリと、
高透磁性材料で作られた複数のプレートを含む前記ハウジング内の磁気シールドと、
を含み、
前記コイル、前記磁気シールド、及び前記バッテリは、積み重ね状態で整列し、
前記磁気シールドは、前記積み重ね状態で前記バッテリと前記コイルの間に位置付けられ、
前記コイルは、埋め込み型医療装置に電力を供給するために使用される、
ことを特徴とする装置。
【請求項１１】
前記複数のプレートの各々は、フェライトプレートであり、
前記複数のプレートは、実質的に前記コイルの範囲全体を覆うタイル張り配置に構成される、
ことを特徴とする請求項１０に記載の装置。
【請求項１２】
前記再充電可能バッテリは、再充電可能プリズム形リチウムイオンバッテリを含むことを特徴とする請求項１０に記載の装置。
【請求項１３】
前記外部装置の前記ハウジング内にプリント基板（ＰＣＢ）を更に含むことを特徴とする請求項１０に記載の装置。
【請求項１４】
前記磁気シールドは、接着によって前記ＰＣＢに取り付けられることを特徴とする請求項１３に記載の装置。
【請求項１５】
前記磁気シールド及びコイルは、前記ＰＣＢの第１の側面上に位置付けられ、前記バッテリは、該ＰＣＢの第２の側面上に位置付けられることを特徴とする請求項１３に記載の装置。
【請求項１６】
前記磁気シールド及びバッテリは、前記ＰＣＢの第１の側面上に位置付けられ、前記コイルは、該ＰＣＢの第２の側面上に位置付けられることを特徴とする請求項１３に記載の装置。
【請求項１７】
前記コイル、バッテリ、及び磁気シールドは、前記積み重ね状態で同軸的に整列することを特徴とする請求項１０に記載の装置。
【誤訳訂正２】
【訂正対象書類名】明細書
【訂正対象項目名】００１６
【訂正方法】変更
【訂正の内容】
【００１６】
図５Ａ及び図５Ｂは、形状ファクタが図４に示す外部充電器４００に類似している埋め込み型医療装置のための改良された外部充電器５００の１つの可能な実施形態の外部構成要素の側面図及び底面図をそれぞれ示している。充電器５００は、全てが単一の積み重ね状態で同軸的に整列したバッテリ５１４、コイル１０８、及び磁気シールド５０４を収容する一体型、小型、薄型、無線外部充電器設計である。この実施形態の磁気シールドは、１つ又はそれよりも多くのタイル張りフェライトプレート５０４を含む。図５Ａに示すように、外部充電器５００はまた、中心軸５１２に沿って上半分５１０ａと下半分５１０ｂに分けることができる、典型的には硬いプラスチックで形成されたケース又はハウジング５１０から構成される。クランプ５０２は、機械的に所定位置にプリント基板５０６を保持するのに使用することができる。クランプ５０２は、ケースの上半分の一部として形成されて示されているが、これは、他の手段を使用してケース５１０内の構成要素を安定化することができ、従って、厳密には必要でない。関連電子回路５０８は、あらゆる望ましい位置のＰＣＢ５０６上であるが、好ましくは、関連電子回路５０８においてあらゆる渦電流の発生を最小にするように磁気シールド５０４の背後に印刷することができる。バッテリ５１４は、コイル１０８からＰＣＢ５０６の反対側に置くことができる。円筒形バッテリではなくて薄いプリズム形バッテリは、薄型の充電器パッケージを考慮した充電器に使用することができる。例えば、ＰＡＮＡＳＯＮＩＣ（登録商標）からのリチウム鉄バッテリモデル第ＣＧＡ６３３４５０Ｂは、３４．０ｍｍ幅、５０．０ｍｍ長、及びちょうど６．３ｍｍ厚の寸法を有する３．７Ｖ／１２００ｍＡｈ電源を提供する。
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
少なくとも二つの構成部材を含む薬物送達デバイス（１０）であって：
ここで、どちらの構成部材も、マーキング（１９、２０）を備え、
ここで、少なくとも二つの構成部材は、主ハウジング（１２）、及び一つ、又はそれ以上の次の追加の構成部材：
−カートリッジ（２５）；及び
−カートリッジホルダ（１１）、
を含み、
ここで、それぞれの追加の構成部材（１１、２５）は、主ハウジング（１２）に連結可能であり、ここで、マーキング（１９、２０）は、ハウジング（１２）及びそれぞれの追加の構成部材（１１、２５）上で同一であり、そしてここで、マーキング（１９、２０）が、それぞれ少なくとも一つの触覚マーキングを含む、
上記薬物送達デバイス（１０）。
【請求項２】
主ハウジング（１２）は、ハウジング本体（１３Ａ）、及びハウジング本体（１３Ａ）に解除可能に連結されるハウジングインサート（１３Ｂ）を含み、主ハウジング（１２）のマーキング（２０）は、ハウジングインサート（１３Ｂ）上に設けられる、請求項１に記載の薬物送達デバイス（１０）。
【請求項３】
マーキング（１９、２０）が、それぞれ少なくとも一つのカラーマーキングを含む、請求項１又は２に記載の薬物送達デバイス（１０）。
【請求項４】
マーキング（１９、２０）が、それぞれ少なくとも一つのテキストマーキングを含む、請求項１〜３のいずれか１項に記載の薬物送達デバイス（１０）。
【請求項５】
少なくとも一つのテキストマーキングが、デバイス（１０）用の薬物の名称を含む、請求項４に記載の薬物送達デバイス（１０）。
【請求項６】
マーキング（１９、２０）が、それぞれ少なくとも一つの記号を含む、請求項１〜５の
いずれか１項に記載の薬物送達デバイス（１０）。
【請求項７】
マーキング（１９）が、用量ボタン（１７）の作動面（１８）上で設けられる、請求項１〜６のいずれか１項に記載の薬物送達デバイス（１０）。
【請求項８】
請求項１〜７のいずれか１項に記載の二つ、三つ、又はそれ以上薬物送達デバイス（１０）を含んでなる薬物送達デバイス（１０）のセットであって、
ここで、異なったデバイス（１０）の構成部材（１１、１２、２５）は、異なったマーキング（１９、２０）を備え、
ここで、異なってマークされた構成部材は、異なった薬物を保持するデバイス（１０）の部分である、
上記薬物送達デバイス（１０）のセット。
【請求項９】
請求項８に記載の薬物送達デバイス（１０）のセットであって、
ここで、マーキング（１９、２０）は、次のマーキング：
−少なくとも一つのカラーマーキング、
−少なくとも一つのテキストマーキング、及び
−少なくとも一つの記号マーキング、
の一つ、それ以上、又は全てを含む、
上記薬物送達デバイス（１０）のセット。
【請求項１０】
それぞれのデバイス（１０）が使い捨てである、請求項８又は９に記載の薬物送達デバイス（１０）のセット。
【請求項１１】
それぞれのデバイス（１０）が再使用可能である、請求項８又は９に記載の薬物送達デバイス（１０）のセット。
【請求項１２】
請求項１〜７のいずれか１項に記載の少なくとも二つの薬物送達デバイス（１０）を含んでなる薬物送達デバイス（１０）のセットであって：
ここで、異なったデバイス（１０）の構成部材（１１、１２、２５）は、同じ（同一）のマーキング（１９、２０）を備え、そして
ここで同様にマーキングされた構成部材は、同じ薬物を保持するデバイス（１０）の部分である、
上記薬物送達デバイス（１０）のセット。
【請求項１３】
それぞれのデバイス（１０）の少なくとも一つが使い捨てであり、そしてそれぞれの別のデバイスが再使用可能である、請求項１２に記載の薬物送達デバイス（１０）のセット。
【請求項１４】
構成部材（１１、１２、２５）は、同じマーキングを有する部材のみが、共に連結することができるように、コード化された機械的連結を有する、請求項８又は９に記載の薬物送達デバイスのセット。
【請求項１５】
薬物の特定カートリッジホルダは、特定のカートリッジのみが薬物の特定カートリッジ内にインサートできるように、特定カートリッジに対応する連結機能を備えている、請求項１４に記載の薬物送達デバイスのセット。